(57)【特許請求の範囲】
【請求項１】
上部に円筒状のキャップを有すると共に、前記キャップの外周方向に突出した支持アームに支持金具を介して、高圧カットアウトを支持した耐塩支持碍子を覆う高圧カットアウト用耐塩支持碍子の保護カバーであって、
前記キャップ及び当該キャップと前記高圧カットアウトとの接続部を挟むように覆うカバー本体を備え、
前記カバー本体は、
前記キャップを上部側から覆う円筒部と、
前記円筒部の外周方向に突出して前記接続部を上部側から覆う方形部と、
前記円筒部の上部から突出した電線係止部と、を有し、
前記電線係止部は、前記高圧カットアウトに接続する引下線を外周方向から着脱自在に抑留する高圧カットアウト用耐塩支持碍子の保護カバー。
【請求項２】
前記電線係止部は、
前記引下線を外周方向から導入可能となるように半径方向の一部が切り欠かれた開口と、
この開口に対向し、前記引下線の外周が部分的に当接する湾曲底面と、を有する請求項１記載の高圧カットアウト用耐塩支持碍子の保護カバー。
【発明の詳細な説明】
【技術分野】
【０００１】
本発明は、高圧カットアウト用耐塩支持碍子の保護カバーに関する。特に、高圧架空電線から分岐した引下線が接続される高圧カットアウトを支持すると共に、電柱に装柱された耐塩支持碍子が引下線に接触しないよう、耐塩支持碍子を覆う保護カバーの構造に関する。
【背景技術】
【０００２】
電柱に装柱された変圧器などは、円筒形の高圧カットアウトを仲介して高圧電力が入力されている。高圧カットアウトは、ヒューズ筒を内部に収容している。高圧電力に異常が発生すると、ヒューズ筒が作動することで、変圧器を損傷から保護できる。
【０００３】
一般に、高圧カットアウトは、支持金具を用いて、腕金に支持されている。しかし、海岸に近い場所、いわゆる重塩害地域に設置された高圧カットアウトは、腕金に固定された耐塩支持碍子に支持されている。
【０００４】
図４は、従来技術による耐塩支持碍子の装柱を示す図であり、図４（Ａ）は、耐塩支持碍子の平面図、図４（Ｂ）は、耐塩支持碍子の正面図である。図５は、従来技術による耐塩支持碍子及び高圧ピン碍子の装柱を示す図であり、図５（Ａ）は、耐塩支持碍子の平面図、図５（Ｂ）は、耐塩支持碍子及び高圧ピン碍子の正面図である。
【０００５】
図４を参照すると、耐塩支持碍子２は、磁器からなる碍子２１、可鍛鋳鉄からなる円筒状のキャップ２２、及び碍子ピン２３で構成している。碍子ピン２３は、端部に雄ねじを形成し、中間部に鍔部を形成している。碍子ピン２３にナット２ｎを螺合し、鍔部とナット２ｎでコ型金具２ａを挟持することで、水平状態に配置された腕金５に耐塩支持碍子２を立設できる。
【０００６】
図４を参照すると、キャップ２２は、外周方向に支持アーム２２ａを突出している。支持アーム２２ａの端部には、ボルト挿通孔を開口している。そして、後述する高圧カットアウト３の碍子３ａを保持する支持金具３１ａと支持アーム２２ａをボルトとナットで結合することで、耐塩支持碍子２に高圧カットアウト３を支持している。
【０００７】
図４を参照すると、高圧カットアウト３は、円筒状のカットアウト本体３０とヒューズ筒（図示せず）を備えている。カットアウト本体３０は、略円形の開口部を底部に設けている。図示しないヒューズ筒は、開口部から挿入されて、カットアウト本体３０の内部に装着されている。
【０００８】
図４を参照すると、カットアウト本体３０は、その略外殻を構成する円筒状の碍子３ａを有している。カットアウト本体３０は、碍子３ａの頂部を被覆する絶縁キャップ３ｂを有している。そして、絶縁キャップ３ｂには、高圧の引下線ｗ１を接続している。又、引下線ｗ１は、その端末に電極（図示せず）を設けている。この電極は、内部に装着されたヒューズ筒（図示せず）の上面に接触（導通）している。
【０００９】
図４を参照すると、カットアウト本体３０は、碍子３ａの底部の外周から突出する絶縁キャップ３ｃを有している。そして、絶縁キャップ３ｃを介して電線ｗ２を延出している。電線ｗ２は、負荷装置である柱上変圧器（図示せず）などに接続している。又、電線ｗ２は、その端末に電極（図示せず）を設けている。この電極は、内部に装着されたヒューズ筒（図示せず）の外周に接触（導通）している。そして、ヒューズ筒を介して高圧電源と負荷装置が電気的に接続されている。
【００１０】
図４を参照すると、碍子３ａは、その中央部が一組の支持金具３１ａ・３１ａで挟持されている。そして、一方の支持金具３１ａが支持アーム２２ａに固定されることで、耐塩支持碍子２に高圧カットアウト３を支持している。又、図示された高圧カットアウト３は、避雷器（図示せず）を内蔵すると共に、所定のギャップを設けてせん絡金具５ａを配置しており、雷などにより生じる過渡的な異常高電圧から高圧カットアウト３を保護している。
【００１１】
図５（Ｂ）を参照すると、耐塩支持碍子２の奥側には、高圧ピン碍子４を配置している。高圧ピン碍子４は、腕金５に固定されている。なお、図５（Ａ）では、高圧ピン碍子４の図示を省略している。高圧ピン碍子４は、その頭部にバインド線４ｂを巻回している。バインド線４ｂは、高圧架空電線（図示ぜず）から分岐した引下線ｗ１の外周を緊縛して、引下線ｗ１を高圧カットアウト３の頂部に配設している。
【００１２】
図５（Ｂ）を参照すると、引下線ｗ１におけるバインド線４ｂの分岐点から絶縁キャップ３ｂに至る経路、いわゆる縁線部は、上向きに湾曲するように、接着テープなどを用いで、配設されている。しかし、引下線ｗ１の縁線部は、経年変化、強風、又は鳥が止まるなどの影響で、上向きに湾曲してキャップ２２、又は支持金具３１ａに接触することがある。そして、引下線ｗ１の絶縁被覆が損傷に至ることがある。
【００１３】
上述した不具合を解消するため、高圧カットアウトの上方で引下線の外周をカールする第１のシート部材と、第１のシート部材に結合し、高圧ピン碍子の上方でバインド線と共に引下線の外周をカールする第２のシート部材と、を備え、引下線の縁線を上向きに湾曲するように保持する引下線用高圧絶縁電線固定器具が開示されている（例えば、特許文献１参照）。
【先行技術文献】
【特許文献】
【００１４】
【特許文献１】特開２０１０−１８７４９７号公報
【発明の概要】
【発明が解決しようとする課題】
【００１５】
しかしながら、特許文献１による固定器具は、第１のシート部材から延出した引下線が強風などにより、キャップ２２、又は支持金具３１ａに接触する心配を払拭できないという問題がある。引下線が耐塩支持碍子及び支持金具に接触しないように、引下線を確実に保護する保護カバーが求められている。そして、以上のことが本発明の課題といってよい。
【００１６】
本発明は、このような問題に鑑みてなされたものであり、高圧カットアウトを支持する耐塩支持碍子の上方に配置された引下線が耐塩支持碍子及び支持金具に接触しないよう、引下線を保護する保護カバーを提供することを目的とする。
【課題を解決するための手段】
【００１７】
本発明者は、耐塩支持碍子の上部に設けたキャップ、及び高圧カットアウトとの接続部を挟むように覆うカバー本体で保護カバーを構成し、カバー本体には、上部から突出した電線係止部を形成し、電線係止部には、高圧カットアウトに接続する引下線を抑留可能な抑止溝を設けることで、これらの課題を解決できると考え、これに基づいて、以下のような新たな高圧カットアウト用耐塩支持碍子の保護カバーを発明するに至った。
【００１８】
（１）本発明による高圧カットアウト用耐塩支持碍子の保護カバーは、上部に円筒状のキャップを有すると共に、前記キャップの外周方向に突出した支持アームに支持金具を介して、高圧カットアウトを支持した耐塩支持碍子を覆う高圧カットアウト用耐塩支持碍子の保護カバーであって、前記キャップ及び当該キャップと前記高圧カットアウトとの接続部を挟むように覆うカバー本体を備え、前記カバー本体は、前記キャップを上部側から覆う円筒部と、前記円筒部の外周方向に突出して前記接続部を上部側から覆う方形部と、前記円筒部の上部から突出した電線係止部と、を有し、前記電線係止部は、前記高圧カットアウトに接続する引下線を外周方向から着脱自在に抑留する。
【００１９】
（２）前記電線係止部は、前記引下線を外周方向から導入可能となるように半径方向の一部が切り欠かれた開口と、この開口に対向し、前記引下線の外周が部分的に当接する湾曲底面と、を有することが好ましい。
【００２０】
（３）前記カバー本体は、一方の端部が開閉するように、他方の端部の一部を前記電線係止部の下縁に連結した一対の分割体と、これらの分割体の前記円筒部から前記方形部と反対側に突出し、互いに係止可能な第１接続片と、を有し、一方の前記第１接続片は、把持可能に他方の前記第１接続片より長く突出していることが好ましい。
【００２１】
（４）前記カバー本体は、一対の前記分割体の前記方形部から前記電線係止部と反対側に突出し、互いに係止可能な第２接続片を更に有し、一方の前記第２接続片は、把持可能に他方の前記第２接続片より長く突出していることが好ましい。
【００２２】
（５）本発明による高圧カットアウト用耐塩支持碍子の保護カバーは、開閉する一対の把持爪を先端部に有する絶縁操作棒を用いて操作されることが好ましい。
【発明の効果】
【００２３】
本発明による高圧カットアウト用耐塩支持碍子の保護カバーは、耐塩支持碍子の上部に設けたキャップ、及びキャップと高圧カットアウトとの接続部を挟むように覆うカバー本体を備え、カバー本体には、上部に突出した電線係止部を形成し、電線係止部には、高圧カットアウトに接続する引下線を外周方向から着脱自在に抑留できるので、引下線が耐塩支持碍子及び支持金具に接触しないように、引下線を確実に保護できる。
【００２４】
又、本発明による高圧カットアウト用耐塩支持碍子の保護カバーは、開閉する一対の把持爪を先端部に有する絶縁操作棒を用いて操作できるので、通電中であっても安全に保護カバーを着脱できる。
【図面の簡単な説明】
【００２５】
【図１】本発明の一実施形態による高圧カットアウト用耐塩支持碍子の保護カバーの構成を示す図であり、図１（Ａ）は、保護カバーの平面図、図１（Ｂ）は、保護カバーの縦断面図である。
【図２】前記実施形態による高圧カットアウト用耐塩支持碍子の保護カバーの構成を示す縦断面図であり、図１（Ｂ）の部分拡大図である。
【図３】前記実施形態による高圧カットアウト用耐塩支持碍子の保護カバーの構成を示す図であり、図３（Ａ）は、保護カバーの正面図、図３（Ｂ）は、保護カバーの平面図、図３（Ｃ）は、保護カバーの右側面図である。
【図４】従来技術による耐塩支持碍子の装柱を示す図であり、図４（Ａ）は、耐塩支持碍子の平面図、図４（Ｂ）は、耐塩支持碍子の正面図である。
【図５】従来技術による耐塩支持碍子及び高圧ピン碍子の装柱を示す図であり、図５（Ａ）は、耐塩支持碍子の平面図、図５（Ｂ）は、耐塩支持碍子及び高圧ピン碍子の正面図である。
【発明を実施するための形態】
【００２６】
以下、図面を参照して本発明を実施するための形態を説明する。
［高圧カットアウト用耐塩支持碍子の保護カバーの構成］
最初に、本発明の一実施形態による高圧カットアウト用耐塩支持碍子の保護カバーの構成を説明する。
【００２７】
図１は、本発明の一実施形態による高圧カットアウト用耐塩支持碍子の保護カバーの構成を示す図であり、図１（Ａ）は、保護カバーの平面図、図１（Ｂ）は、保護カバーの縦断面図である。図２は、前記実施形態による高圧カットアウト用耐塩支持碍子の保護カバーの構成を示す縦断面図であり、図１（Ｂ）の部分拡大図である。
【００２８】
図３は、前記実施形態による高圧カットアウト用耐塩支持碍子の保護カバーの構成を示す図であり、図３（Ａ）は、保護カバーの正面図、図３（Ｂ）は、保護カバーの平面図、図３（Ｃ）は、保護カバーの右側面図である。なお、従来技術で使用した符合と同じ符合を付した構成品は、その作用を同一とするので、以下、説明を省略することがある。
【００２９】
（全体構成）
図１から図３を参照すると、本発明の一実施形態による高圧カットアウト用耐塩支持碍子の保護カバー（以下、保護カバーと略称する）１０は、絶縁性を有するカバー本体１を備えている。カバー本体１は、キャップ２２及びキャップ２２と高圧カットアウト３との接続部６０を挟むように覆うことができる。
【００３０】
図１から図３を参照すると、カバー本体１は、キャップを上部側から覆う円筒部１１、円筒部１１の外周方向に突出して、接続部６０を上部側から覆う方形部１２、及び円筒部１１の上部から突出した円筒状の電線係止部１３を有している。
【００３１】
図１から図３を参照すると、電線係止部１３は、抑止溝１３ｈを有している。抑止溝１３ｈには、高圧カットアウト３に接続する引下線ｗ１を外周方向から着脱自在に抑留できる。又、抑止溝１３ｈは、高圧カットアウト３に向かって挿通している。なお、実施形態では、抑止溝１３ｈには、引下線ｗ１を圧着した直線スリーブを被覆した絶縁スリーブｗｓを抑留している。
【００３２】
（カバー本体の構成）
図２又は図３を参照すると、カバー本体１は、半分割状態に形成された一対の分割体１ｄｂ・１ｄｂで構成している。これらの分割体１ｄｂ・１ｄｂは、一方の端部が開閉するように、他方の端部の一部を電線係止部１３の下縁に連結した一対のヒンジ部１１ｈ・１１ｈを有している。一対の分割体１ｄｂ・１ｄｂの他方の端部を閉じることで、キャップ２２及びキャップ２２と高圧カットアウト３との接続部６０を絶縁状態で覆うことができる（図１又は図２参照）。
【００３３】
図２又は図３を参照すると、カバー本体１は、一対の分割体１ｄｂ・１ｄｂの円筒部１１から方形部１２と反対側に突出した一組の第１接続片１４ａ・１４ｂを有している。第１接続片１４ａは、突起１４ｔを有している。一方、第１接続片１４ｂは、突起１４ｔに嵌合する係止穴１４ｈを開口している（図３（Ａ）参照）。開閉する一対の把持爪を先端部に有する絶縁操作棒（図示せず）を用いて、一対の第１接続片１４ａ・１４ｂを把持することで、一対の第１接続片１４ａ・１４ｂをロック（係止）できる。
【００３４】
図３を参照すると、一方の第１接続片１４ａは、他方の第１接続片１４ｂより長く突出している。開閉する一対の把持爪を先端部に有する絶縁操作棒（図示せず）を用いて、第１接続片１４ａを把持することで、一対の分割体１ｄｂ・１ｄｂが開いた状態で、カバー本体１を高所に移動できる。
【００３５】
図２又は図３を参照すると、カバー本体１は、一対の分割体１ｄｂ・１ｄｂの方形部１２から電線係止部１３と反対側に突出した一組の第２接続片１５ａ・１５ｂを有している。第２接続片１５ａは、突起１５ｔを有している。一方、第２接続片１５ｂは、突起１５ｔに嵌合する係止穴１５ｈを開口している（図３（Ａ）参照）。開閉する一対の把持爪を先端部に有する絶縁操作棒（図示せず）を用いて、一対の第２接続片１５ａ・１５ｂを把持することで、一対の第２接続片１５ａ・１５ｂをロック（係止）できる。
【００３６】
図３を参照すると、一方の第２接続片１５ａは、他方の第２接続片１５ｂより長く突出している。開閉する一対の把持爪を先端部に有する絶縁操作棒（図示せず）を用いて、第２接続片１５ａを把持することで、一対の分割体１ｄｂ・１ｄｂが開いた状態で、カバー本体１を高所に移動できる。
【００３７】
（電線係止部の構成）
図２又は図３を参照すると、電線係止部１３は、引下線ｗ１を外周方向から導入可能となるように半径方向の一部が切り欠かれた開口１３ｓを抑止溝１３ｈに有している。又、電線係止部１３は、開口１３ｓに対向した湾曲底面１３ｂを抑止溝１３ｈに有している。湾曲底面１３ｂには、引下線ｗ１の外周を部分的に当接できる。
【００３８】
図１から図３を参照して、引下線ｗ１をその外周方向から開口１３ｓに向けて押すと、開口１３ｓの幅が拡がり、引下線ｗ１を抑止溝１３ｈに導入できる。引下線ｗ１が湾曲底面１３ｂに当接した状態では、電線係止部１３から離脱困難に引下線ｗ１を抑留できる。
【００３９】
［高圧カットアウト用耐塩支持碍子の保護カバーの作用］
次に、実施形態による保護カバー１０の操作方法を説明しながら、保護カバー１０の作用及び効果を説明する。
【００４０】
最初に、図３を参照して、開閉する一対の把持爪を先端部に有する絶縁操作棒（図示せず）を用いて、第１接続片１４ａ又は第２接続片１５ａを把持し、一対の分割体１ｄｂ・１ｄｂが開いた状態で、カバー本体１をキャップ２２及び接続部６０の上方に移動する（図１又は図２参照）。次に、図１を参照して、一対の分割体１ｄｂ・１ｄｂが開いた状態で、キャップ２２及び接続部６０をカバー本体１の内部に進入させる。
【００４１】
次に、図２又は図３を参照して、開閉する一対の把持爪を先端部に有する絶縁操作棒（図示せず）を用いて、第１接続片１４ａ又は第２接続片１５ａを把持しながら、別の絶縁操作棒（図示せず）を用いて、一対の第１接続片１４ａ・１４ｂ及び一対の第２接続片１５ａ・１５ｂを挟持し、一対の分割体１ｄｂ・１ｄｂをロックすることで、カバー本体１の取り付け作業を完了する。
【００４２】
次に、図１から図３を参照して、開閉する一対の把持爪を先端部に有する絶縁操作棒（図示せず）を用いて、引下線ｗ１を把持し、絶縁スリーブｗｓを電線係止部１３の抑止溝１３ｈに導入することで、絶縁スリーブｗｓを抑留できる。
【００４３】
図１から図３を参照すると、実施形態による保護カバー１０は、耐塩支持碍子２の上部に設けたキャップ２２、及びキャップ２２と高圧カットアウト３との接続部６０を挟むように覆うカバー本体１を備え、カバー本体１には、円筒部１１の上部から突出した円筒状の電線係止部１３を形成し、電線係止部１３には、高圧カットアウト３に接続する引下線ｗ１を抑留できると共に、高圧カットアウト３に向かって挿通した抑止溝１３ｈを設けているので、引下線ｗ１が耐塩支持碍子２及び支持金具３１ａに接触しないように、引下線ｗ１を確実に保護できる。
【００４４】
又、図１から図３を参照すると、実施形態による保護カバー１０は、開閉する一対の把持爪を先端部に有する絶縁操作棒（図示せず）を用いて操作できるので、通電中であっても安全に保護カバー１０を着脱できる。
【００４５】
本発明は、以下の効果が奏される。
（ア）耐塩支持碍子の上部に設けたキャップ、及びキャップと高圧カットアウトとの接続部を挟むように覆う保護カバーを耐塩支持碍子に取り付けることで、耐塩支持碍子及び支持金具との接触を避け、引下線の損傷を防止できる。
（イ）引下線を保護カバーの頭部に固定することで、強風などにより引下線が腕金に接触すること防止できる。引下線が腕金に接触することに起因する電気事故を防止できる。
（ウ）引下線に鳥などが止まることに起因する地絡を防止できる。
（エ）強風又は鳥などが止まることに起因する、引下線への過剰テンションを防止できる。又、スリーブ接続部での断線も防止できる。
（オ）間接活線工法で保護カバーを着脱できるので、安全に作業できる。
（カ）保護カバーの構成が簡易である。
（キ）保護カバーをワンタッチで取り付けできる。
【００４６】
本発明による高圧カットアウト用耐塩支持碍子の保護カバーは、絶縁操作棒を用いた間接活線作業に好適な実施形態を開示したが、絶縁手袋を用いた直接活線作業にも適用できる。本発明による高圧カットアウト用耐塩支持碍子の保護カバーは、間接活線作業が効率化され、作業時間の短縮が期待できる。
【符号の説明】
【００４７】
１  カバー本体
２  耐塩支持碍子
３  高圧カットアウト
１０  保護カバー（高圧カットアウト用耐塩支持碍子の保護カバー）
１１  円筒部
１２  方形部
１３  電線係止部
２２  キャップ
２２ａ  支持アーム
３１ａ  支持金具
６０  接続部
ｗ１  引下線
【図１】
0005628373.tif 000002
【図２】
0005628373.tif 000003
【図３】
0005628373.tif 000004
【図４】
0005628373.tif 000005
【図５】
0005628373.tif 000006